(57)【要約】【課題】電子部品の放熱を効果的に行う。【解決手段】複合機１は、内部空間Ｓを有するスキャナ筐体５と、ＡＳＩＣ９ｂが実装された基板９ａを収容するプリンタ筐体１１とを有している。スキャナ筐体５は、プリンタ筐体１１に対して近接した近接位置と、離隔した離隔位置との間において移動可能にプリンタ筐体１１に支持されている。プリンタ筐体１１の天井部１１ｄには、基板９ａと対向する位置に貫通孔１１ｃが形成されている。スキャナ筐体５の底板５ｂには、近接位置において基板９ａと上下方向Ａに沿って重なる位置に貫通孔５ｂ１が形成されている。【選択図】図３
2019068174.tif 000002
【特許請求の範囲】
【請求項１】
画像を読み取るための読取部が往復移動可能な内部空間を有する上筐体と、通電されることによって発熱する電子部品が実装された基板、及び、記録媒体に画像を記録するための記録部を収容する下筐体とを有し、前記上筐体が前記下筐体に対して近接した近接位置と前記近接位置よりも前記下筐体から離隔した離隔位置との間を移動可能に前記上筐体が前記下筐体に支持された複合機において、
前記下筐体は、前記基板の上方において当該基板を覆い、前記近接位置において前記上筐体の前記内部空間を画定する底板と近接しつつ対向する天井部を有し、
前記天井部には、前記基板と対向する位置に下貫通孔が形成されており、
前記上筐体の前記底板には、前記近接位置において前記基板と鉛直方向に沿って重なる位置に上貫通孔が形成されていることを特徴とする複合機。
【請求項２】
前記上貫通孔と前記下貫通孔とが、前記近接位置において、前記鉛直方向に沿って重なっていることを特徴とする請求項１に記載の複合機。
【請求項３】
前記下貫通孔が、前記電子部品と対向する位置に配置されていることを特徴とする請求項１又は２に記載の複合機。
【請求項４】
前記下貫通孔を閉鎖する下側閉鎖位置と前記下貫通孔を開放する下側開放位置との間において移動可能な下蓋と、
前記上筐体が前記近接位置にあるときに前記下蓋を前記下側開放位置に移動させ、前記上筐体が前記離隔位置にあるときに前記下蓋を前記下側閉鎖位置に移動させる下蓋移動機構とをさらに備えていることを特徴とする請求項１〜３のいずれか１項に記載の複合機。
【請求項５】
前記上貫通孔を閉鎖する上側閉鎖位置と前記上貫通孔を開放する上側開放位置との間において移動可能な上蓋と、
前記上筐体が前記近接位置にあるときに前記上蓋を前記上側開放位置に移動させ、前記上筐体が前記離隔位置にあるときに前記上蓋を前記上側閉鎖位置に移動させる上蓋移動機構とをさらに備えていることを特徴とする請求項１〜４のいずれか１項に記載の複合機。
【請求項６】
前記下貫通孔を閉鎖する下側閉鎖位置と前記下貫通孔を開放する下側開放位置との間において移動可能な下蓋と、
前記上筐体が前記近接位置及び前記離隔位置のいずれにあるかを検出するセンサと、
前記下蓋を前記下側閉鎖位置と前記下側開放位置との間において移動させる下蓋移動機構と、
前記センサによって前記上筐体が前記近接位置にあると検出されたときに、前記下蓋を前記下側開放位置に移動させるように、前記センサによって前記上筐体が前記離隔位置にあると検出されたときに、前記下蓋を前記下側閉鎖位置に移動させるように、前記下蓋移動機構を制御する下蓋制御装置とをさらに備えていることを特徴とする請求項１〜３のいずれか１項に記載の複合機。
【請求項７】
前記上貫通孔を閉鎖する上側閉鎖位置と前記上貫通孔を開放する上側開放位置との間において移動可能な上蓋と、
前記上筐体が前記近接位置及び前記離隔位置のいずれにあるかを検出するセンサと、
前記上蓋を前記上側閉鎖位置と前記上側開放位置との間において移動させる上蓋移動機構と、
前記センサによって前記上筐体が前記近接位置にあると検出されたときに、前記上蓋を前記上側開放位置に移動させるように、前記センサによって前記上筐体が前記離隔位置にあると検出されたときに、前記上蓋を前記上側閉鎖位置に移動させるように、前記上蓋移動機構を制御する上蓋制御装置とをさらに備えていることを特徴とする請求項１〜３のいずれか１項に記載の複合機。
【請求項８】
前記記録部は、記録媒体に液体を吐出して画像を記録する液体吐出ヘッドを含み、
前記上貫通孔を塞ぐように設けられ、前記液体吐出ヘッドからの液体吐出によって生じる液体ミストを捕獲することが可能なフィルタをさらに備えていることを特徴とする請求項１〜７のいずれか１項に記載の複合機。
【発明の詳細な説明】
【技術分野】
【０００１】
本発明は、画像を読み取る読取部及び記録媒体に画像を記録するための記録部を有する複合機に関する。
【背景技術】
【０００２】
特許文献１には、電源ユニットを構成する電子部品が実装された電源基板が垂直に立てられた状態で収容されたシールドボックスを含む多機能複合機について記載されている。この多機能複合機におけるシールドボックスは、その一部が多機能複合機の外装カバーの切り欠き部から露出しており、この露出部であって電源基板と対向する位置には電子部品の放熱のための排熱口が設けられている。これにより、電子部品からの熱が排熱口を介して装置外に放出可能になる。
【先行技術文献】
【特許文献】
【０００３】
【特許文献１】特開２００４−１１７５０８号公報
【発明の概要】
【発明が解決しようとする課題】
【０００４】
しかしながら、上記特許文献１に記載の多機能複合機のシールドボックスに形成された排熱口は、シールドボックスの側面（垂直な平面）に形成されている。電源基板に実装された電子部品からの熱は上方に移動しやすいため、電子部品からの熱が排熱口から装置外に放出されにくい。このため、当該電子部品からの熱がシールドボックスの上部であって電源基板と排熱口との間の空間にこもった状態となり、電子部品の熱を放熱しにくくなるという問題が生じる。
【０００５】
本発明の目的は、電子部品の放熱を効果的に行うことが可能な複合機を提供することである。
【課題を解決するための手段】
【０００６】
本発明の複合機は、画像を読み取るための読取部が往復移動可能な内部空間を有する上筐体と、通電されることによって発熱する電子部品が実装された基板、及び、記録媒体に画像を記録するための記録部を収容する下筐体とを有し、前記上筐体が前記下筐体に対して近接した近接位置と前記近接位置よりも前記下筐体から離隔した離隔位置との間を移動可能に前記上筐体が前記下筐体に支持された複合機において、前記下筐体は、前記基板の上方において当該基板を覆い、前記近接位置において前記上筐体の前記内部空間を画定する底板と近接しつつ対向する天井部を有し、前記天井部には、前記基板と対向する位置に下貫通孔が形成されており、前記上筐体の前記底板には、前記近接位置において前記基板と鉛直方向に沿って重なる位置に上貫通孔が形成されている。
【０００７】
これによると、上筐体が近接位置に配置されているときに、下筐体の基板と天井部との間の空間と上筐体の内部空間とが、下貫通孔及び上貫通孔によって上下に連通可能となる。このため、電子部品が発熱しても、当該熱が基板と天井部との間の空間から内部空間へと移動しやすくなり、下筐体の基板と天井部との間の空間に熱がこもりにくくなる。この結果、電子部品の放熱を効果的に行うことが可能となる。
【０００８】
本発明において、前記上貫通孔と前記下貫通孔とが、前記近接位置において、前記鉛直方向に沿って重なっていることが好ましい。これにより、上筐体が近接位置に配置されているときに、下筐体の基板と天井部との間の空間から上筐体の内部空間へと熱がより移動しやすくなって、下筐体の基板と天井部との間の空間に熱がより一層こもりにくくなる。このため、電子部品の放熱をより効果的に行うことが可能となる。
【０００９】
また、本発明において、前記下貫通孔が、前記電子部品と対向する位置に配置されていることが好ましい。これにより、電子部品で発生した熱が内部空間に移動しやすくなって、下筐体の基板と天井部との間の空間に熱がより一層こもりにくくなる。このため、電子部品の放熱をより効果的に行うことが可能となる。
【００１０】
また、本発明において、前記下貫通孔を閉鎖する下側閉鎖位置と前記下貫通孔を開放する下側開放位置との間において移動可能な下蓋と、前記上筐体が前記近接位置にあるときに前記下蓋を前記下側開放位置に移動させ、前記上筐体が前記離隔位置にあるときに前記下蓋を前記下側閉鎖位置に移動させる下蓋移動機構とをさらに備えていることが好ましい。これにより、上筐体が離隔位置にあるときに、下貫通孔を下蓋で閉鎖することが可能となり、埃などの異物が下貫通孔を介して基板と天井部との間の空間に侵入しにくくなる。
【００１１】
また、本発明において、前記上貫通孔を閉鎖する上側閉鎖位置と前記上貫通孔を開放する上側開放位置との間において移動可能な上蓋と、前記上筐体が前記近接位置にあるときに前記上蓋を前記上側開放位置に移動させ、前記上筐体が前記離隔位置にあるときに前記上蓋を前記上側閉鎖位置に移動させる上蓋移動機構とをさらに備えていることが好ましい。これにより、上筐体が離隔位置にあるときに、上貫通孔を上蓋で閉鎖することが可能となり、埃などの異物が上貫通孔を介して内部空間に侵入しにくくなる。
【００１２】
また、本発明において、前記下貫通孔を閉鎖する下側閉鎖位置と前記下貫通孔を開放する下側開放位置との間において移動可能な下蓋と、前記上筐体が前記近接位置及び前記離隔位置のいずれにあるかを検出するセンサと、前記下蓋を前記下側閉鎖位置と前記下側開放位置との間において移動させる下蓋移動機構と、前記センサによって前記上筐体が前記近接位置にあると検出されたときに、前記下蓋を前記下側開放位置に移動させるように、前記センサによって前記上筐体が前記離隔位置にあると検出されたときに、前記下蓋を前記下側閉鎖位置に移動させるように、前記下蓋移動機構を制御する下蓋制御装置とをさらに備えていることが好ましい。これにより、上筐体が離隔位置にあるときに、下貫通孔を下蓋で閉鎖することが可能となり、埃などの異物が下貫通孔を介して基板と天井部との間の空間に侵入しにくくなる。
【００１３】
また、本発明において、前記上貫通孔を閉鎖する上側閉鎖位置と前記上貫通孔を開放する上側開放位置との間において移動可能な上蓋と、前記上筐体が前記近接位置及び前記離隔位置のいずれにあるかを検出するセンサと、前記上蓋を前記上側閉鎖位置と前記上側開放位置との間において移動させる上蓋移動機構と、前記センサによって前記上筐体が前記近接位置にあると検出されたときに、前記上蓋を前記上側開放位置に移動させるように、前記センサによって前記上筐体が前記離隔位置にあると検出されたときに、前記上蓋を前記上側閉鎖位置に移動させるように、前記上蓋移動機構を制御する上蓋制御装置とをさらに備えていることが好ましい。これにより、上筐体が離隔位置にあるときに、上貫通孔を上蓋で閉鎖することが可能となり、埃などの異物が上貫通孔を介して内部空間に侵入しにくくなる。
【００１４】
また、本発明において、前記記録部は、記録媒体に液体を吐出して画像を記録する液体吐出ヘッドを含み、前記上貫通孔を塞ぐように設けられ、前記液体吐出ヘッドからの液体吐出によって生じる液体ミストを捕獲することが可能なフィルタをさらに備えていることが好ましい。これにより、上筐体の内部空間に液体ミストが侵入するのを抑制することが可能となり、読取部に液体ミストが付着するのを抑制することが可能となる。
【発明の効果】
【００１５】
本発明の複合機によると、上筐体が近接位置に配置されているときに、下筐体の基板と天井部との間の空間と上筐体の内部空間とが、下貫通孔及び上貫通孔によって上下に連通可能となる。このため、電子部品が発熱しても、当該熱が基板と天井部との間の空間から内部空間へと移動しやすくなり、下筐体の基板と天井部との間の空間に熱がこもりにくくなる。この結果、電子部品の放熱を効果的に行うことが可能となる。
【図面の簡単な説明】
【００１６】
【図１】本発明の一実施形態に係る複合機の斜視図である。
【図２】図１に示すプリンタ部の内部構造を模式的に示す縦断面図である。
【図３】（ａ）はスキャナ筐体がプリンタ筐体に対して近接位置に配置された状況を示す要部断面図であり、（ｂ）はスキャナ筐体がプリンタ筐体に対して離隔位置に配置された状況を示す要部断面図である。
【図４】（ａ）は下蓋が下側開放位置に配置され、上蓋が上側開放位置に配置された状況を示す説明図であり、（ｂ）は下蓋が下側閉鎖位置に配置され、上蓋が上側閉鎖位置に配置された状況を示す説明図である。
【図５】スキャナ筐体がプリンタ筐体に対して離隔位置に配置された状況を示す要部側面図である。
【図６】本発明の一実施形態に係る複合機の蓋移動機構の変形例を示しており、スキャナ筐体がプリンタ筐体に対して離隔位置に配置された状況を示す要部側面図である。
【発明を実施するための形態】
【００１７】
以下、本発明の一実施形態に係る複合機１について説明する。複合機１は、図１に示す状態に設置されて使用される。本実施形態において、図１に矢印を付して示す３つの方向が、上下方向Ａ、前後方向Ｂ、及び左右方向Ｃである。図１に示す３つの方向は、他の図面においても同様である。
【００１８】
＜複合機１の全体構成＞
複合機１は、図１に示すように、略直方体形状に形成されている。複合機１は、その上部に、用紙などの原稿に記録された画像を読み取って画像データを取得するためのスキャナ部２を有する。また、複合機１は、その下部に、上述の画像データなどに基づいて、用紙Ｐ（図２参照）に画像を記録するプリンタ部１０を含む。
【００１９】
［プリンタ部１０］
プリンタ部１０は、略直方体形状に形成されており、正面に開口１２が形成されたプリンタ筐体（下筐体）１１を有している。開口１２は、プリンタ筐体１１の前面１１ａの略中央に形成されている。プリンタ筐体１１の前面１１ａの上部には、表示部及び操作ボタンを有し、複合機１を操作するための操作装置７０が設けられている。
【００２０】
プリンタ筐体１１の内部には、図２に示すように、給紙トレイ１５、給紙トレイ１５に収容された用紙Ｐを搬送路２５に沿って搬送する搬送ローラ対３５及び排出ローラ対３６、記録部２４、制御部９などが配設されている。給紙トレイ１５は、開口１２から前後方向Ｂに挿抜可能であって内部に用紙Ｐが収容されている。記録部２４は、スキャナ部２によって原稿から読み取られた画像データなどに基づいて、搬送路２５を搬送される用紙Ｐに画像を記録する。
【００２１】
図２に示すように、給紙トレイ１５の上方であって記録部２４の下方には、給送ローラ２１が設けられている。給送ローラ２１は、給送アーム２２の先端部において軸支されている。給送ローラ２１は、給送用モータ（不図示）から駆動力が伝達されることによって回転する。給送アーム２２は、基端部に設けられた支軸２２ａを中心として、矢印Ｄの方向に回動する。これにより、給送ローラ２１は、給紙トレイ１５または当該給紙トレイ１５に支持された用紙Ｐに対して、当接及び離間が可能である。
【００２２】
画像が記録された用紙Ｐは、給紙トレイ１５の上側に設けられた排紙トレイ１６に排出され、排紙トレイ１６に載置される。ここで、排紙トレイ１６は、給紙トレイ１５の上側に給紙トレイ１５と重ねられて設けられており、給紙トレイ１５と一体的に開口１２に挿抜される。給紙トレイ１５が開口１２に挿入されている状態において、排紙トレイ１６は、開口１２の底面を構成している。つまり、画像が記録された用紙Ｐは開口１２内に排出される。
【００２３】
搬送路２５は、図２に示すように、給紙トレイ１５の後端部を基点として、下方から上方に延びつつＵターンしてから、前方に延びて排紙トレイ１６に至る通路である。搬送路２５は、所定間隔を隔てて互いに対向する第１ガイド部材２５ａ及び第２ガイド部材２５ｂによって構成される空間である。用紙Ｐは、搬送路２５を、図２中二点鎖線の矢印で示す搬送方向Ｅに搬送される。
【００２４】
［搬送ローラ対３５及び排出ローラ対３６］
図２に示すように、搬送路２５において、記録部２４よりも搬送方向Ｅの上流には、搬送ローラ対３５が設けられている。搬送ローラ対３５は、搬送ローラ３５ａ及びピンチローラ３５ｂによって構成される。ピンチローラ３５ｂは、ばねなどの弾性部材（不図示）によって搬送ローラ３５ａに圧接されている。搬送路２５において、記録部２４よりも搬送方向Ｅの下流には、排出ローラ対３６が設けられている。排出ローラ対３６は、排出ローラ６ａ及び拍車ローラ３６ｂにより構成されている。拍車ローラ３６ｂは、ばねなどの弾性部材（不図示）によって排出ローラ３６ａに圧接されている。
【００２５】
搬送ローラ３５ａ及び排出ローラ３６ａは、搬送用モータ（不図示）から駆動力が伝達されることによって回転する。駆動力が伝達された搬送ローラ３５ａ及び排出ローラ３６ａは、ピンチローラ３５ｂ及び拍車ローラ３６ｂとの間に用紙Ｐを挟持しつつ搬送方向Ｅへ搬送する。
【００２６】
記録部２４は、図２に示すように、搬送路２５の上方に配置されている。搬送路２５の下方、且つ記録部２４と対向する位置には、プラテン２６が設けられている。プラテン２６は、搬送路２５を搬送される用紙Ｐを、その上面で支持する部材である。記録部２４は、搬送路２５に対向可能に設けられた記録ヘッド２７と、記録ヘッド２７を支持するキャリッジ２８とを含む。記録ヘッ２７の下面には、インクカートリッジ（不図示）から供給されたインクを搬送路２５に向けて吐出するための複数のノズル（不図示）が形成されている。キャリッジ２８は、左右方向Ｃに往復移動可能に構成されている。キャリッジ２８が左右方向Ｃに往復移動されながら、搬送路２５に沿って搬送される用紙Ｐに向かってノズルからインク滴が吐出される。こうして、用紙Ｐに画像が記録される。
【００２７】
制御部９は、複合機１０の動作を制御するものであり、図３に示すように、基板９ａの上面９ａ１に実装されたＡＳＩＣ（Application Specific Integrated Circuit）９ｂなどを含む種々の電子部品により構成されている。ＡＳＩＣ９ｂは、通電されることによって発熱し、複数の電子部品のうち、用紙Ｐへの画像記録動作において最も発熱量が大きい。制御部９は、画像データに基づいて、上述の給送用モータ及び搬送用モータを制御し、用紙Ｐを搬送し、記録部２４を制御して、搬送される用紙Ｐに画像を記録する。また、制御部９は、スキャナ部２の後述のイメージセンサ６やＣＲモータを制御して、原稿の画像を読み取る。
【００２８】
［スキャナ部２］
スキャナ部２は、図１に示すように、開閉カバー３と、スキャナ本体４とを有する、所謂フラットベッドスキャナとして構成されている。スキャナ本体４は、図３（ａ）に示すように、内部空間Ｓを有する略直方体形状のスキャナ筐体５と、原稿に記録された画像を読み取るためのイメージセンサ（読取部）６と、内部空間Ｓ内においてイメージセンサ６を左右方向Ｃに移動させる移動機構７とを有する。
【００２９】
スキャナ筐体（上筐体）５は、図３（ａ）に示すように、内部空間Ｓを画定する上板５ａ及び底板５ｂを有する。上板５ａは、その中央部分に原稿台としての平板状の透明なガラス板５ａ１を有する。また、底板５ｂには、上下方向Ａに貫通する貫通孔５ｂ１が形成されている。貫通孔５ｂ１は、スキャナ筐体５が後述する近接位置に配置されているときに、ＡＳＩＣ９ｂ全体と上下方向Ａに沿って重なる位置に配置されている。また、底板５ｂには、貫通孔５ｂ１を塞ぐようにフィルタ５ｂ２が設けられている。フィルタ５ｂ２は、記録ヘッド５７からのインク吐出によって生じるインクミストを捕獲することが可能な、複数の微小な孔が形成されている。これにより、インクミストが、貫通孔５ｂ１から内部空間Ｓに侵入するのを防ぐことが可能となる。このため、イメージセンサ６及びガラス板５ａ１にインクミストが付着するのを抑制することが可能となる。
【００３０】
スキャナ本体４は、図３（ａ）に示すように、プリンタ筐体１１の後端部に設けられた左右方向Ｃに平行な支軸１１ｂを中心として回動可能に、プリンタ筐体１１に支持されている。つまり、スキャナ筐体５は、図３（ａ）に示す位置であってスキャナ筐体５の前方下端がプリンタ筐体１１に当接した近接位置から、図３（ｂ）に示す位置であってスキャナ筐体５の前方下端がプリンタ筐体１１から離隔した離隔位置との間を回動可能に、プリンタ筐体１１に支持されている。また、スキャナ筐体５の左端部には、図３（ｂ）に示すように、スキャナ筐体５のプリンタ筐体１１に対する回動に伴って、上下方向Ａに伸縮するスライド部材５ｃが設けられている。
【００３１】
イメージセンサ６は、前後方向Ｂに沿って長尺なラインＣＣＤ（charge-coupled device）によって構成されており、ガラス板５ａ１に載置された原稿の画像を下方から読み取って制御部９に出力する。制御部９は、イメージセンサ６から出力された画像データ等に基づいて用紙Ｐに画像を記録する。移動機構７は、左右方向Ｃに互いに平行に延在する一対のガイド軸７ａと、一対のガイド軸７ａに沿って移動可能に配置された支持部７ｂと、支持部７ｂを左右方向Ｃに往復移動させるベルト伝達機構（不図示）とを有する。支持部７ｂの上面には、イメージセンサ６が固定されている。そして、支持部７ｂはイメージセンサ６と共に左右方向Ｃに沿って往復移動される。ベルト伝達機構は、内部空間Ｓ内に配置された２つのプーリ、無端状のタイミングベルト及びＣＲモータとを含む。２つのプーリは、左右方向Ｃに互いに離隔して配置され、タイミングベルトが架け渡されている。タイミングベルトの一部が支持部７ｂに固定されている。一方のプーリは、ＣＲモータの駆動軸と連結されており、ＣＲモータが駆動されることで、タイミングベルトが走行し、支持部７ｂとともにイメージセンサ６が左右方向Ｃに移動する。
【００３２】
開閉カバー３は、図１及び図３（ａ）に示すように、スキャナ本体４の上面と同じ平面形状及びサイズを有する平板状部材である。また、開閉カバー３は、図３（ａ）に示すように、スキャナ筐体５の後端部に設けられた左右方向Ｃに平行な支軸５ｃを中心として回動可能に、スキャナ筐体５に支持されている。つまり、開閉カバー３の前方下端をスキャナ本体４から離隔させるように回動させることで、原稿台としてのガラス板５ａ１が外部に露出した状態となり、当該ガラス板５ａ１上に原稿を載置することが可能となる。そして、原稿をガラス板５ａ１上に載置した後に、開閉カバー３の前方下端がスキャナ本体４に近接する位置まで開閉カバー３を回動させる。こうして、原稿の画像を正常に読み取り可能な状態となる。
【００３３】
本実施形態におけるプリンタ筐体１１には、ＡＳＩＣ９ｂと上下方向Ａに対向する位置に貫通孔１１ｃ（下貫通孔）が形成されている。より詳細には、プリンタ筐体１１は、図３（ａ）に示すように、基板９ａの上方において基板９ａを覆い、近接位置においてスキャナ筐体５の底板５ｂと近接しつつ対向する天井部１１ｄを有する。そして、貫通孔１１ｃがその天井部１１ｄに形成されている。貫通孔１１ｃは、図４（ａ）に示すように、ＡＳＩＣ９ｂの平面サイズよりも一回り大きく形成されており、ＡＳＩＣ９ｂ全体及び基板９ａと上下方向Ａに対向している。また、貫通孔１１ｃは、図３（ａ）に示すように、スキャナ筐体５が近接位置に配置されているときに、スキャナ筐体５の底板５ｂに形成された貫通孔５ｂ１と上下方向Ａに沿って重なっている。
【００３４】
プリンタ筐体１１には、図４に示すように、貫通孔１１ｃを開閉するための下蓋４１と、下蓋４１を移動させる下蓋移動機構４２とが設けられている。下蓋４１は、貫通孔１１ｃよりも平面サイズが一回り大きなサイズを有しており、天井部１１ｄの下面に左右方向Ｃにスライド可能に支持されている。また、下蓋４１は、貫通孔１１ｃよりも下方位置において、図４（ａ）に示す位置であって貫通孔１１ｃを開放する下側開放位置と、図４（ｂ）に示す位置であって貫通孔１１ｃを閉鎖することが可能な下側閉鎖位置との間において、左右方向Ｃに移動可能に配置されている。
【００３５】
下蓋移動機構４２は、弾性部材４３と、ワイヤ４４と、２つの滑車４５，４６とを有している。弾性部材４３は、図４中左端が下蓋４１の右端に接続され、図４中右端がプリンタ筐体１１に接続されており、下蓋４１を右方に引っ張ることが可能に配置されている。つまり、下蓋４１には、弾性部材４３によって右方への付勢力が作用している。２つの滑車４５，４６は、図４及び図５に示すように、プリンタ筐体１１の左端部において、前後方向Ｂに互いに離隔して配置されている。ワイヤ４４は、図４及び図５に示すように、２つの滑車４５，４６を介してプリンタ筐体１１に配設されており、一端が下蓋４１の左端に接続され、他端がスライド部材５ｃの上端部分に接続されている。より詳細には、ワイヤ４４は、下蓋４１の左端から左方に延在し、滑車４５を介して後方に延在する。そして、ワイヤ４４は滑車４６を介してスライド部材５ｃの上端部まで延在する。
【００３６】
この構成により、スキャナ筐体５が近接位置にあるときは、図４（ａ）に示すように、下蓋４１が弾性部材４３によって左方に引っ張られて下側開放位置に位置付けられている。そして、スキャナ筐体５がプリンタ筐体１１に対して近接位置から離隔位置に回動すると、図４（ｂ）及び図５に示すように、スライド部材５ｃの上方への伸張によってワイヤ４４の他端が上方に移動する。これにより、下蓋４１がワイヤ４４によって左方に引っ張られ、弾性部材４３の付勢力に抗して左方に移動し、下側閉鎖位置に位置付けられる。つまり、下蓋４１は、スキャナ筐体５の回動に伴って、下側開放位置と下側閉鎖位置との間を自動的に移動する。
【００３７】
また、本実施形態におけるスキャナ筐体５の内部空間Ｓには、図３及び図５に示すように、貫通孔５ｂ１を開閉するための上蓋５１と、上蓋５１を移動させる上蓋移動機構５２とが設けられている。上蓋５１は、貫通孔５ｂ１よりも平面サイズが一回り大きなサイズを有しており、底板５ｂの上面に左右方向Ｃにスライド可能に支持されている。また、上蓋５１は、貫通孔５ｂ１よりも上方位置において、下蓋４１と同様に、図３（ａ）に示すように貫通孔５ｂ１を開放する上側開放位置と、図３（ｂ）に示すように貫通孔５ｂ１を閉鎖することが可能な上側閉鎖位置との間において、左右方向Ｃに移動可能に配置されている。
【００３８】
上蓋移動機構５２は、下蓋移動機構４２とほぼ同様であって平面視において同様の配置関係にあるため、図４中において括弧で符号を示す。上蓋移動機構５２は、図４及び図５に示すように、弾性部材５３と、ワイヤ５４と、２つの滑車５５，５６とを有している。弾性部材５３は、図４中左端が上蓋５１の右端に接続され、図４中右端がスキャナ筐体５に接続されており、上蓋５１を右方に引っ張ることが可能に配置されている。つまり、上蓋５１には、弾性部材５３によって右方への付勢力が作用している。２つの滑車５５，５６は、図５に示すように、スキャナ筐体５の左端部において、前後方向Ｂに互いに離隔して配置されている。ワイヤ５４は、図４及び図５に示すように、２つの滑車５５，５６を介してスキャナ筐体５に配設されており、一端が上蓋５１の左端に接続され、他端がプリンタ筐体１１のスライド部材５ｃ近傍に接続されている。より詳細には、ワイヤ５４は、上蓋５１の左端から左方に延在し、滑車５５を介して後方に延在する。そして、ワイヤ５４は滑車５６を介してスライド部材５ｃに沿ってプリンタ筐体１１まで延在する。
【００３９】
この構成により、スキャナ筐体５が近接位置にあるときは、図３（ａ）及び図４（ａ）に示すように、上蓋５１が弾性部材５３によって左方に引っ張られて上側開放位置に位置付けられている。そして、スキャナ筐体５がプリンタ筐体１１に対して近接位置から離隔位置に回動すると、図３（ｂ）、図４（ｂ）及び図５に示すように、スキャナ筐体５がプリンタ筐体１１から上方に離隔することによってワイヤ５４の一端が左方に移動する。これにより、上蓋５１がワイヤ５４によって左方に引っ張られ、弾性部材５３の付勢力に抗して左方に移動し、上側閉鎖位置に位置付けられる。つまり、上蓋５１も、下蓋４１と同様に、スキャナ筐体５の回動に伴って、上側開放位置と上側閉鎖位置との間を自動的に移動する。
【００４０】
以上に述べたように、本実施形態の複合機１によると、貫通孔１１ｃが基板９と上下方向Ａに対向し、貫通孔５ｂ１が基板９と上下方向Ａに沿って重なる位置に配置され、スキャナ筐体５が近接位置に配置されているときに、上蓋５１が上側開放位置に位置付けられ、下蓋４１が下側開放位置に位置付けられる。このように貫通孔５ｂ１，１１ｃが上下方向Ａに沿って基板９ａと重なる位置に配置されていることで、スキャナ筐体５が近接位置に配置されているときに、プリンタ筐体１１内であって基板９ａと天井部１１ｄとの間の空間とスキャナ筐体５の内部空間Ｓとが、貫通孔５ｂ１，１１ｃによって上下に連通可能となる。したがって、スキャナ筐体５が近接位置に配置されているときに、画像データに基づく画像記録動作が実行され、ＡＳＩＣ９ｂが発熱しても、当該熱が基板９ａと天井部１１ｄとの間の空間から内部空間Ｓへと移動し、プリンタ筐体１１の基板９ａと天井部１１ｄとの間の空間に熱がこもりにくくなる。この結果、ＡＳＩＣ９ｂを含む電子部品の放熱を効果的に行うことが可能となる。
【００４１】
また、スキャナ筐体５が近接位置に配置されているときに、２つの貫通孔５ｂ１，１１ｃが上下方向Ａに沿って重なっている。これにより、スキャナ筐体５が近接位置に配置されているときに、プリンタ筐体１１の基板９ａと天井部１１ｄとの間の空間からスキャナ筐体５の内部空間Ｓへと熱がより移動しやすくなって、プリンタ筐体１１の基板９ａと天井部１１ｄとの間の空間に熱がより一層こもりにくくなる。このため、ＡＳＩＣ９ｂを含む電子部品の放熱をより効果的に行うことが可能となる。
【００４２】
また、貫通孔１１ｃが、ＡＳＩＣ９ｂと上下方向Ａに沿って対向する位置に配置されているこれにより、ＡＳＩＣ９ｂで発生した熱が内部空間Ｓに移動しやすくなって、プリンタ筐体１１の基板９ａと天井部１１ｄとの間の空間に熱がより一層こもりにくくなる。このため、ＡＳＩＣ９ｂを含む電子部品の放熱をより効果的に行うことが可能となる。
【００４３】
また、下蓋４１と下蓋移動機構４２とを有していることで、スキャナ筐体５が離隔位置にあるときに、貫通孔１１ｃを下蓋４１で閉鎖することが可能となり、埃などの異物が貫通孔１１ｃを介して基板９ａと天井部１１ｄとの間の空間に侵入しにくくなる。
【００４４】
また、上蓋５１と上蓋移動機構５２とを有していることで、スキャナ筐体５が離隔位置にあるときに、貫通孔５ｂ１を上蓋５１で閉鎖することが可能となり、埃などの異物が貫通孔５ｂ１を介して内部空間Ｓに侵入しにくくなる。
【００４５】
変形例として、下蓋移動機構４２及び上蓋移動機構５２に代えて、図６に示す蓋移動機構７２とセンサ８１とを有していてもよい。センサ８１は、プリンタ筐体１１の左端上部に設けられた非接触タイプの近接センサであり、スキャナ筐体５がプリンタ筐体１１に対して近接位置及び離隔位置のいずれにあるかを検出し、その検出信号を制御部９に出力する。なお、センサ８１は、スキャナ筐体５と接触タイプのセンサであってもよく、特に限定するものではない。
【００４６】
蓋移動機構７２は、上述の弾性部材４３，５３、ワイヤ４４，５４、滑車４５，４６，５５，５６に加えて、ドラム７３及び駆動モータ７４を含んでいる。つまり、蓋移動機構７２は、下蓋移動機構と上蓋移動機構とを兼ねている。なお、本変形例における滑車４６が、上述の実施形態における配置位置よりも若干前方に配置されている。なお、上述の実施形態と同様なものについては、説明を省略する。
【００４７】
ドラム７３は、各ワイヤ４４，５４を巻き取り及び巻き出し可能に構成されている。駆動モータ７４は、その駆動軸がドラム７３に連結されており、ドラム７３から各ワイヤ４４，４５を巻き出す際、又は、巻き取る際にドラム７３を回転させる。本変形例における制御部（上蓋制御装置及び下蓋制御装置）９は、スキャナ筐体５が近接位置にあることを示す信号がセンサ８１から出力された場合、各ワイヤ４４，４５を所定長だけ巻き出されるように、ドラム７３を回転させるように駆動モータ７４を制御する。これにより、スキャナ筐体５が近接位置にあるときは、ワイヤ４４，５４の長さが離隔位置のときよりも長くなる。このため、下蓋４１及び上蓋５１が弾性部材４３，５３に左方に引っ張られて下側及び上側開放位置に位置付けられる。一方、制御部９は、スキャナ筐体５が離隔位置にあることを示す信号がセンサ８１から出力された場合、各ワイヤ４４，４５を所定長だけ巻き取るように、ドラム７３を回転させるように駆動モータ７４を制御する。これにより、ワイヤ４４，５４の長さが近接位置のときよりも短くなる。このため、下蓋４１及び上蓋５１が各ワイヤ４４，５４によって左方に引っ張られ、弾性部材４３，５３の付勢力に抗して左方に移動し、下側及び上側閉鎖位置に位置付けられる。この変形例においても、下蓋４１及び上蓋５１は、スキャナ筐体５の回動に伴って、下側及び上側開放位置と下側及び上側閉鎖位置との間を自動的に移動する。
【００４８】
このような変形例においても、上述の実施形態と同様な部分については同じ効果を得ることができる。また、センサ８１と、下蓋移動機構として蓋移動機構７２とを有していることで、スキャナ筐体５が離隔位置にあるときに、貫通孔１１ｃを下蓋４１で閉鎖することが可能となり、埃などの異物が貫通孔１１ｃを介して基板９ａと天井部１１ｄとの間の空間に侵入しにくくなる。また、センサ８１と、上蓋移動機構として蓋移動機構７２とを有していることで、スキャナ筐体５が離隔位置にあるときに、貫通孔５ｂ１を上蓋５１で閉鎖することが可能となり、埃などの異物が貫通孔５ｂ１を介して内部空間Ｓに侵入しにくくなる。なお、下蓋４１及び上蓋５１を個別に移動させるために、それぞれ専用のドラム及び駆動モータを設けてもよい。
【００４９】
以上、本発明の好適な実施の形態について説明したが、本発明は上述の実施の形態に限られるものではなく、特許請求の範囲に記載した限りにおいて様々な変更が可能なものである。例えば、上述の実施形態においては、スキャナ筐体５のプリンタ筐体１１に対する回動によって、貫通孔５ｂ１，１１ｃを開閉する上蓋５１及び下蓋４１と、上蓋移動機構５２及び下蓋移動機構４２とを有しているが、これら上蓋５１及び下蓋４１と上蓋移動機構５２及び下蓋移動機構４２とを有していなくてもよい。つまり、単にスキャナ筐体５の底板５ｂに貫通孔５ｂ１が形成され、プリンタ筐体１１の天井部１１ｄに貫通孔１１ｃが形成されていてもよい。これにおいても上述の実施形態と同様の効果を得ることができる。また、上蓋５１及び上蓋移動機構５２と、下蓋４１及び下蓋移動機構４２とのいずれか一方だけを有していてもよい。
【００５０】
また、これら貫通孔５ｂ１，１１ｃは、近接位置において、上下方向Ａに沿って基板９ａと重なっておれば、互いに上下に重なっていなくてもよいし、部分的に重なっていてもよい。また、上述の実施形態においては、貫通孔５ｂ１，１１ｃがそれぞれ１つだけ形成されているが、近接位置において、上下方向Ａに沿って基板９ａと重なっておれば、複数形成されていてもよい。このとき、複数の貫通孔５ｂ１と複数の貫通孔１１ｃとが、近接位置において、上下に少なくとも一部が重なっていてもよいし、互いに重なっていなくてもよい。また、複数の貫通孔１１ｃが形成されている場合、複数の貫通孔１１ｃのうちのいずれかがＡＳＩＣ９ｂと上下に重なっていてもよいし、すべての貫通孔１１ｃがＡＳＩＣ９ｂに上下に重なっていてもよい。また、貫通孔１１ｃは、ＡＳＩＣ９ｂの一部と重なっていてもよいし、ＡＳＩＣ９ｂと重なっていなくてもよい。また、底板５ｂには、フィルタ５ｂ２が設けられていなくてもよい。
【００５１】
スキャナ筐体５は、プリンタ筐体１１に対して水平方向と交差する方向にスライドすることで近接位置と離隔位置との間を移動してもよい。上述の上蓋移動機構５２及び下蓋移動機構４２や、蓋移動機構７２は、上蓋５１及び下蓋４１を閉鎖位置と開放位置との間において移動させることが可能であれば、他の機構などを用いてもよく、特に限定するものではない。
【００５２】
また、上述の実施形態においては、記録部２４が用紙Ｐに画像を記録する方式は、インクジェット記録方式であるが、記録部２４が用紙Ｐに画像を記録する方式はインクジェット記録方式に限らず、例えば電子写真方式などであってもよい。
【符号の説明】
【００５３】
１  複合機
５  スキャナ筐体（上筐体）
５ｂ  底板
５ｂ１  貫通孔（上貫通孔）
５ｂ２  フィルタ
６  イメージセンサ（読取部）
９  制御部（下蓋制御装置及び上蓋制御装置）
９ａ  基板
９ｂ  ＡＳＩＣ（電子部品）
１１  プリンタ筐体（下筐体）
１１ｃ  貫通孔（下貫通孔）
１１ｄ  天井部
２４  記録部
２７  記録ヘッド（液体吐出ヘッド）
４１  下蓋
４２  下蓋移動機構
５１  上蓋
５２  上蓋移動機構
７２  蓋移動機構（下蓋移動機構及び上蓋移動機構）
８１  センサ
Ｓ  内部空間
【図１】
2019068174.tif 000003
【図２】
2019068174.tif 000004
【図３】
2019068174.tif 000005
【図４】
2019068174.tif 000006
【図５】
2019068174.tif 000007
【図６】
2019068174.tif 000008